(57)【要約】【課題】台座に確実に固定され、台座に対し傾斜し又は倒れるおそれのない玩具花火を提供する。【解決手段】花火外筒１の下端部１ａを台座３に固定してなる玩具花火において、該花火外筒の下端部における縁９には複数の突片１１を下方に延設し、該台座には各突片に対応する形状の切れ目１３を各突片に対応する位置に形成したことを特徴とする玩具花火。前記突片１１は前記縁９における相対向する位置に一対延設し、前記台座３には各突片１１に対応する形状の切れ目１３を各突片に対応する位置に一対形成する。前記花火外筒１は角筒状をなし、前記各突片１１は該花火外筒の稜１５を介して隣接する二つの面１７を下方に延設してなり、前記台座３には各突片１１に対応する形状の切れ目１３を各突片に対応する位置に形成する。【選択図】図１
2009264655.tif 000002
【特許請求の範囲】
【請求項１】
花火外筒の下端部を台座に固定してなる玩具花火において、
該花火外筒の下端部における縁には複数の突片を下方に延設し、該台座には各突片に対応する形状の切れ目を各突片に対応する位置に形成したことを特徴とする玩具花火。
【請求項２】
前記突片は前記縁における相対向する位置に一対延設し、前記台座には各突片に対応する形状の切れ目を各突片に対応する位置に一対形成したことを特徴とする請求項１に記載の玩具花火。
【請求項３】
前記花火外筒は角筒状をなし、前記各突片は該花火外筒の稜を介して隣接する二つの面を下方に延設してなり、前記台座には各突片に対応する形状の切れ目を各突片に対応する位置に形成したことを特徴とする請求項１又は２に記載の玩具花火。
【発明の詳細な説明】
【技術分野】
【０００１】
本発明は、玩具花火に関するものであり、特に台座を備えた打上げ花火、噴出し花火等の玩具花火に係るものである。
【背景技術】
【０００２】
台座を備えた打上げ花火、噴出し花火等の玩具花火は、従来より使用されている。
【０００３】
特開２００１−２４１８９７号公報は、板紙を折曲加工して厚板状の台部を形成し、該台部の中央に花火外筒の下端部を挿嵌させる挿嵌孔を形成し、該挿嵌孔は、その形成域内に複数の放射状切れ目を設け、隣接する切れ目間に生じた複数の折曲片をそれぞれ下方に折曲してなる台座（以下「従来の台座」という。）を開示している。
【特許文献１】特開２００１−２４１８９７号公報
【発明の開示】
【発明が解決しようとする課題】
【０００４】
しかして、従来の台座における挿嵌孔は、その形成域内に複数の放射状切れ目を設け、隣接する切れ目間に生じた複数の折曲片をそれぞれ下方に折曲してなるものであるため、該挿嵌孔内に花火外筒の下端部を挿嵌させても、花火外筒の下端部は該挿嵌孔内に固定されない。すなわち、花火外筒の下端部は単に挿嵌孔内に挿入されるに留まり、該挿嵌孔によりロックされるものではない。したがって、花火外筒の下端部は該挿嵌孔内に挿嵌しても、不安定であり、台座に対し傾斜し又は倒れるおそれがある。
【０００５】
本発明は、従来の台座における上述の如き問題を解決し、台座に確実に固定され、台座に対し傾斜し又は倒れるおそれのない玩具花火を提供しようとしてなされたものである。
【課題を解決するための手段】
【０００６】
上記課題を解決するために、本発明は、下記の玩具花火を提供する。
【０００７】
（１）花火外筒の下端部を台座に固定してなる玩具花火において、
該花火外筒の下端部における縁には複数の突片を下方に延設し、該台座には各突片に対応する形状の切れ目を各突片に対応する位置に形成したことを特徴とする玩具花火（請求項１）。
【０００８】
（２）前記突片は前記縁における相対向する位置に一対延設し、前記台座には各突片に対応する形状の切れ目を各突片に対応する位置に一対形成する（請求項２）。
【０００９】
（３）前記花火外筒は角筒状をなし、前記各突片は該花火外筒の稜を介して隣接する二つの面を下方に延設してなり、前記台座には各突片に対応する形状の切れ目を各突片に対応する位置に形成する（請求項３）。
【発明の効果】
【００１０】
［請求項１の発明］
請求項１の発明によれば、花火外筒の下端部における縁には複数の突片を下方に延設し、台座には各突片に対応する形状の切れ目を各突片に対応する位置に形成しているため、各突片を台座における対応する切れ目に挿通させたときには、各突片はそれぞれ切れ目内に固定され、しかも、複数の突片がそれぞれ異なる位置にて切れ目内に固定される。したがって、花火外筒は、台座に確実に固定され、台座に対し傾斜し又は倒れるおそれがない。
【００１１】
［請求項２の発明］
請求項２の発明によれば、突片は花火外筒の下端部の縁における相対向する位置に一対延設し、台座には各突片に対応する形状の切れ目を各突片に対応する位置に一対形成しているため、各突片は相互に離れた相対向する位置にて切れ目内に固定される。したがって、花火外筒は、台座に対し一層確実に固定される。
【００１２】
［請求項３の発明］
請求項３の発明によれば、花火外筒は角筒状をなし、各突片は該花火外筒の稜を介して隣接する二つの面を下方に延設してなり、台座には各突片に対応する形状の切れ目を各突片に対応する位置に形成しているため、各突片を台座における対応する切れ目に挿通させたときには、各突片はそれぞれ切れ目内に更に強固に固定される。したがって、花火外筒は、台座に対し更に確実に固定される。  
【発明を実施するための最良の形態】
【００１３】
本発明の玩具花火は、花火外筒１の下端部１ａを台座３に固定してなるものである。
【００１４】
花火外筒１は、好ましくは紙製とし、打上げ花火、噴出し花火等の花火５が内設されている。
【００１５】
図２に示す事例においては、花火外筒１の下端部１ａ内には底部７が取り付けられ、該底部７上に花火５が立設されている。
【００１６】
花火外筒１の下端部１ａにおける縁９には複数の突片１１を下方に延設し、台座３には各突片１１に対応する形状の切れ目１３を各突片１１に対応する位置に形成する。
【００１７】
好ましくは、前記突片１１は前記縁９における相対向する位置に一対延設し、前記台座３には各突片１１に対応する形状の切れ目１３を各突片１１に対応する位置に一対形成する。
【００１８】
更に好ましくは、前記花火外筒１は角筒状をなし、前記各突片１１は該花火外筒１の稜１５を介して隣接する二つの面１７、１７を下方に延設してなり、前記台座３には各突片１１に対応する形状の切れ目１３を各突片に対応する位置に形成する。なお、花火外筒１は、例えば円筒状をなすものであっても差し支えない。
【００１９】
図示の事例においては、前記花火外筒１は六角筒状をなし、前記各突片１１は該花火外筒１の稜１５を介して隣接する二つの面１７、１７を下方に延設してなり、前記台座３には各突片１１に対応する形状の切れ目１３を各突片に対応する位置に形成している。したがって、この事例においては、切れ目１３は、略「へ」字状に折曲している。
【００２０】
上記事例においては、各切れ目１３に対する各突片１１の挿入を容易ならしめるために、各切れ目１３における折曲部に透孔１９が形成されている。
【００２１】
なお、図１における符号２１に示すものは花火外筒１に形成された切断線である。玩具花火の使用時には、花火外筒１の上部を切断線２１より除去し、花火５を露出させ、該花火５に点火する。
【００２２】
台座３は、一例として、板紙２３を折曲してなるものである。図４は台座３の展開図の一例を示す。図４において、符号２５に示すものは切れ目であり、符号２７に示すものは折曲線である。なお、台座３は、必ずしも中空である必要はない。
【００２３】
なお、花火外筒１の下端部１ａを台座３に固定すると共に、更に花火外筒１内の花火５の下端を直接台座３に固定しても差し支えない。
【図面の簡単な説明】
【００２４】
【図１】本発明による玩具花火における花火外筒と台座とを示す斜視図である。
【図２】同上玩具花火の使用状態を示す断面図である。
【図３】図２のＩＩＩ−ＩＩＩ線における断面図である。
【図４】台座の展開図である。
【符号の説明】
【００２５】
１  花火外筒
１ａ  下端部
３  台座
５  花火
７  底部
９  縁
１１  突片
１３  切れ目
１５  稜
１７  面
１９  透孔
２１  切断線
２３  板紙
２５  切れ目
２７  折曲線
【図１】
2009264655.tif 000003
【図２】
2009264655.tif 000004
【図３】
2009264655.tif 000005
【図４】
2009264655.tif 000006